(57)【要約】【課題】ノズルおよび洗浄液供給パイプの詰まり等による洗浄液の供給低下を防ぎ、長期に亘って洗浄効率を維持できるスクラバーを提供すること。【解決手段】タワー２内上部にタワーの水平断面全面を覆うように洗浄液溜め１３を形成するとともに、該洗浄液溜め１３の底板１１に、ほぼ全域に亘って複数個の洗浄液流出筒１２を貫設し、洗浄液溜め１３の洗浄液を前記洗浄液流出筒１２の上端からオーバーフローさせてタワー２内に流出させ、その洗浄液をタワー２の中間部で気液接触させて排気ガスを洗浄することを特徴とする。【選択図】図１
0003168358.tif 000002
【実用新案登録請求の範囲】
【請求項１】
排気ガスをタワーの下部からタワー内に排出するとともに、タワーの上方から洗浄液をタワーの水平断面ほぼ全面に亘って流出させ、その洗浄液をタワーの中間部で気液接触させて排気ガスを洗浄し、洗浄後の洗浄液をタワー下部に設置したタンクに貯留し、その貯留された洗浄液を再度タワー上方へ送給するスクラバーにおいて、
前記タワー内上部にタワーの水平断面全面を覆うように洗浄液溜めを形成するとともに、前記洗浄液溜めの底板に、ほぼ全域に亘って複数個の洗浄液流出筒を貫設し、前記洗浄液溜めの洗浄液を前記洗浄液流出筒の上端からオーバーフローさせてタワー内に流出させるようにしたことを特徴とする、スクラバー。
【請求項２】
前記タワーの中間部に、水平断面全面に亘って気液接触用充填物によって形成された気液接触手段を配設したことを特徴とする、請求項１に記載のスクラバー。
【請求項３】
前記洗浄液流出筒を均等間隔で配置したことを特徴とする、請求項１または２に記載のスクラバー。
【請求項４】
前記洗浄液流出筒の上端周縁に切欠きを形成したことを特徴とする、請求項１〜３のいずれかに記載のスクラバー。
【請求項５】
前記切欠きは、下方に行くにしたがって狭くなるように形成されていることを特徴とする、請求項４に記載のスクラバー。
【考案の詳細な説明】
【技術分野】
【０００１】
本考案は、スクラバーに関するもので、詳しくは、湿式のスクラバーに関するものである。
【背景技術】
【０００２】
湿式のスクラバーでは、排気ガスをタワーの下部からタワー内に排出するとともに、タワーの上方からノズルによって洗浄液をタワー全面に噴霧し、タワーの中間部で気液接触させて排気ガスを洗浄し、その洗浄された排気ガスをタワーの上部から外部に放出させている（例えば、特許文献１）。
【先行技術文献】
【特許文献】
【０００３】
【特許文献１】特開２００９−８２７９９号公報
【考案の概要】
【考案が解決しようとする課題】
【０００４】
このようなスクラバーでは、洗浄後の液をタワー下部のタンクに貯留し、その液を再度洗浄液として循環使用している。その場合、タンクに貯留された洗浄後の液は、排気ガス中の塵埃等を含んでいるため、循環使用していると、ノズルおよび洗浄液供給パイプが詰まる虞がある。
【０００５】
本考案は、上述した背景技術が有する課題に鑑みなされたものであって、ノズルおよび洗浄液供給パイプの詰まり等による洗浄液の供給低下を防ぎ、長期に亘って洗浄効率を維持できるスクラバーを提供することを目的とする。
【課題を解決するための手段】
【０００６】
上記した目的を達成するため、請求項１のスクラバーは、排気ガスをタワーの下部からタワー内に排出するとともに、タワーの上方から洗浄液をタワーの水平断面ほぼ全面に亘って流出させ、その洗浄液をタワーの中間部で気液接触させて排気ガスを洗浄し、洗浄後の洗浄液をタワー下部に設置したタンクに貯留し、その貯留された洗浄液を再度タワー上方へ送給するスクラバーにおいて、前記タワー内上部にタワーの水平断面全面を覆うように洗浄液溜めを形成するとともに、前記洗浄液溜めの底板に、ほぼ全域に亘って複数個の洗浄液流出筒を貫設し、前記洗浄液溜めの洗浄液を前記洗浄液流出筒の上端からオーバーフローさせてタワー内に流出させるようにしたことを特徴とする。
この場合、上記洗浄液流出筒の数は、全域に亘って均一な量の洗浄液を散布するためには多いことが好ましいが、洗浄液流出筒間の洗浄液通路が狭くなると、洗浄液が洗浄液溜めの奥まで十分に流れ込まなくなって、水位が均一にならなくなる虞があるため、洗浄液溜めの面積に対して適宜な数に設定することが好ましい。
【０００７】
また、請求項２のスクラバーは、前記請求項１に記載の考案において、前記タワーの中間部に、水平断面全面に亘って気液接触用充填物によって形成された気液接触手段を配設したことを特徴とする。
【０００８】
また、請求項３のスクラバーは、前記請求項１または２に記載の考案において、前記洗浄液流出筒を均等間隔で配置したことを特徴とする。
【０００９】
また、請求項４のスクラバーは、前記請求項１〜３のいずれかに記載の考案において、前記洗浄液流出筒の上端周縁に切欠きを形成したことを特徴とする。
【００１０】
また、請求項５のスクラバーは、前記請求項４に記載の考案において、前記切欠きが、下方に行くにしたがって狭くなるように形成されていることを特徴とする。
【考案の効果】
【００１１】
上記した請求項１のスクラバーによれば、洗浄液溜めの洗浄液が洗浄液流出筒からタワー内部に流出させる、即ち、ノズル，それらのノズルに洗浄液を配給する細いパイプを使用しないため、塵埃等が詰ることなく洗浄液を散布することができ、長期に亘って洗浄効率を維持することができる。
【００１２】
また、上記した請求項２のスクラバーによれば、気液接触効率をより高めることができる。
【００１３】
また、上記した請求項３のスクラバーによれば、タワーの水平断面全面に散布することができるので、洗浄効率をより高めることができる。
【００１４】
また、上記した請求項４のスクラバーによれば、切欠きによって洗浄液が制御されて流出するため、全体の洗浄液流出筒から均一な量の洗浄液を流出させることができる。
【００１５】
また、上記した請求項５のスクラバーによれば、水位に対応して洗浄液が制御されて流出するので、全体の洗浄液流出筒からより均一な量の洗浄液を流出させることができる。
【図面の簡単な説明】
【００１６】
【図１】本考案に係るスクラバーの一実施の形態を概念的に示した断面側面図である。
【図２】図１のスクラバーにおける要部断面図で、（ａ）はその平面図、（ｂ）は正面図である。
【図３】図２における洗浄液流出筒を示した斜視図である。
【考案を実施するための形態】
【００１７】
以下、本考案に係るスクラバーを、図面に示した一実施の形態に基づいて、詳細に説明する。
【００１８】
図１に示したスクラバー１は、角筒形のタワー２を備えている。このタワー２の上端壁には排気口３が形成され、上部側壁には洗浄液供給口４が形成され、下部側壁には排気ガス供給口５が形成されている。そして、タワー２の下部には洗浄液タンク６が設置されている。
【００１９】
そして、タワー２内の上部には洗浄液流出手段１０が設置され、タワー２内の中間部には気液接触手段２０が設置され、タワー２内の洗浄液流出手段１０と排気口２との間にはミストセパレータ３０が設置されている。
【００２０】
上記洗浄液流出手段１０は、タワー２の水平断面全面を覆うように張設された底板１１と、該底板１１のほぼ全域に亘って貫設された複数個の洗浄液流出筒１２とを備えている。そして、底板１１とタワー２の周壁２ａとによって洗浄液溜め１３が形成されている。
なお、本実施の形態では、図２に示すように、１００ｍｍφの円筒形の洗浄液流出筒１２を１６個使用し、それらを７５０×７５０ｍｍの底板１１にピッチ１８０ｍｍで等間隔に配置している。
【００２１】
洗浄液流出筒１２の上端には、図３に示すように、その全周縁に亘ってＶ字形の切欠き１２ａが形成されている。
【００２２】
そして、この洗浄液流出手段１０では、洗浄液溜め１３に溜められた洗浄液Ｗの水位が洗浄液流出筒１２の切欠き１２ａに達すると、該切欠き１２ａから中空部１２ｂへ溢れ出る。
【００２３】
上記気液接触手段２０は、タワー２内を塞ぐように配設された籠体２１と、該籠体２１内に充填された図示しないテラレット（商標）等の気液接触用充填物とによって構成されている。
そして、この気液接触手段２０では、気液接触用充填物に洗浄液Ｗが付着される。
【００２４】
また、このスクラバー１は、タワー２の外部に、洗浄液供給手段４０を備えている。洗浄液供給手段４０は、一端が洗浄液タンク６に接続された配管４１と、一端が洗浄液供給口４を介して洗浄液溜め１３に接続された配管４２と、前記配管４１と配管４２とを互いに接続するポンプ４３とによって構成されている。
そして、洗浄液タンク６内の洗浄液Ｗは、ポンプ４３によって洗浄液溜め１３に送給される。
【００２５】
また、このスクラバー１は、タワー２の外部に、排気ガス供給手段５０を備えている。排気ガス供給手段５０は、ブロアー５１を備えており、該ブロアー５１の排気ガス吐出ダクト５２は、排気ガス供給口４を介してタワー２内に挿入されている。
そして、図示しない装置から排出されたガスは、ブロアー５１によって排気ダクト５２を介してタワー１の下部に供給される。
【００２６】
このように構成されたスクラバー１では、洗浄液タンク６内の洗浄液Ｗが洗浄液供給手段４０によって洗浄液溜め１３に送給される。洗浄液Ｗが洗浄液溜め１３に溜められ、その水位が洗浄液流出筒１２の切欠き１２ａに達すると、洗浄液Ｗは切欠き１２ａから溢出され気液接触手段２０に落下し、図示しない気液接触用充填物を濡らす。
【００２７】
一方、図示しない装置で発生される排気ガスは、排気ガス供給手段５０によってタワー２内に供給され、その排気ガスはタワー２内を上昇して気液接触手段２０の図示しない気液接触充填物に接触し、そこで洗浄される。そして、洗浄された排気ガスは、洗浄液流出筒１２の中空部１２ｂを経て上昇し、ミストセパレータ３０を経て排気口３から外部へ排出される。そして、洗浄に供された洗浄液Ｗは、タワー２の下方に設置された洗浄液タンク６に落下貯留される。
【００２８】
上記実施の形態では、タワー２の水平断面形状が正方形であるが、長方形，その他の多角形、円形等であってもよいことは勿論である。
【符号の説明】
【００２９】
１  スクラバー
２  タワー
２ａ  周壁
３  排気口
４  洗浄液供給口
５  排気ガス供給口
６  洗浄液タンク
６  邪魔板
１０  洗浄液流出手段
１１  底板
１２  洗浄液流出筒
１２ａ  切欠き
１２ｂ  中空部
１３  洗浄液溜め
２０  気液接触手段
２１  籠体
３０  ミストセパレータ
４０  洗浄液供給手段
４１，４２  配管
４３  ポンプ
５０  排気ガス供給手段
５１  ブロアー
【図１】
0003168358.tif 000003
【図２】
0003168358.tif 000004
【図３】
0003168358.tif 000005
【手続補正書】
【提出日】平成23年3月28日(2011.3.28)
【手続補正１】
【補正対象書類名】明細書
【補正対象項目名】００２９
【補正方法】変更
【補正の内容】
【００２９】
１  スクラバー
２  タワー
２ａ  周壁
３  排気口
４  洗浄液供給口
５  排気ガス供給口
６  洗浄液タンク
１０  洗浄液流出手段
１１  底板
１２  洗浄液流出筒
１２ａ  切欠き
１２ｂ  中空部
１３  洗浄液溜め
２０  気液接触手段
２１  籠体
３０  ミストセパレータ
４０  洗浄液供給手段
４１，４２  配管
４３  ポンプ
５０  排気ガス供給手段
５１  ブロアー
５２  排気ダクト
【手続補正２】
【補正対象書類名】図面
【補正対象項目名】図１
【補正方法】変更
【補正の内容】
【図１】
0003168358.tif 000006